(57)【要約】【課題】カスタム紙の印刷パラメータの設定を他の印刷パラメータの設定を参照せずに行う場合と比較して、ユーザが所望の画質を得るための印刷パラメータの設定を容易に行える画像形成装置及び画像形成プログラムを提供する。【解決手段】ユーザインターフェイス部５８を介してプリセット紙種選択部５２により対応するプリセット紙種をユーザに選択させる。選択されたプリセット紙種の基準値の変更量をユーザインターフェイス部５８を介して変更量設定部５４によりユーザに設定させることにより当該カスタム紙種の制御パラメータ（定着性、色再現性、及び後処理制限枚数）を設定し、設定値を記憶部６０の領域６２に記憶する。また、本実施の形態では、ユーザインターフェイス部５８を介して補正値設定部５６によりユーザに制御パラメータを微調整するための補正値を設定させる。【選択図】図２
2010217451.tif 000002
【特許請求の範囲】
【請求項１】
予め定められた複数種類のプリセット用紙に画像を形成する画像形成手段と、
前記画像形成手段を制御する前記予め定められた複数種類毎に定められた制御パラメータの基準値を記憶する第１の記憶手段と、
前記プリセット用紙の前記予め定められた複数種類の中からユーザが定めた種類のカスタム用紙に対応する前記プリセット用紙の種類をユーザインターフェイスを介してユーザに選択させる選択手段と、
前記選択手段により選択された前記プリセット用紙の種類の前記基準値の変更量を前記ユーザインターフェイスを介してユーザに設定させる変更量設定手段と、
前記カスタム用紙の種類と、前記選択手段で選択された前記プリセット用紙の種類と、前記変更量設定手段で設定された前記変更量と、の対応関係を第２の記憶手段に記憶させる記憶制御手段と、
前記カスタム用紙に画像を形成するよう前記ユーザインターフェイスを介して指示されると、前記記憶制御手段により前記対応関係が記憶させられた前記第２の記憶手段から対応する前記プリセット用紙の種類及び前記変更量を取得し、取得した前記プリセット用紙の種類の前記第１の記憶手段に記憶されている前記基準値及び前記変更量に基づいて算出した前記制御パラメータにより前記画像形成手段を制御する画像形成制御手段と、
を備えた画像形成装置。
【請求項２】
前記第１の記憶手段は、前記基準値を変更させるための１段階あたりの変更量を記憶し、前記変更量設定手段は、変更量の段階数を設定させ、前記記憶制御手段は、前記変更量として前記変更量設定手段で設定された前記段階数を記憶する、
請求項１に記載の画像形成装置。
【請求項３】
前記画像形成制御手段で算出した前記制御パラメータを補正する補正値を前記ユーザインターフェイスを介してユーザに設定させる補正値設定手段を備え、
前記記憶制御手段は、前記補正値設定手段により設定された前記補正値と前記カスタム用紙の種類との対応関係を前記第２の記憶手段に記憶させ、前記画像形成制御手段は、算出した前記制御パラメータを前記第２の記憶手段に記憶された前記補正値に基づいて補正し、補正した前記制御パラメータにより前記画像形成手段を制御する、
請求項１または請求項２に記載の画像形成装置。
【請求項４】
前記制御パラメータは複数種類有り、前記画像形成制御手段は、前記複数種類の制御パラメータ毎、前記プリセット用紙の種類毎、及び前記カスタム用紙の種類毎の少なくとも一つ毎に異なった算出方法で前記制御パラメータを算出する、
請求項１から請求項３のいずれか１項に記載の画像形成装置。
【請求項５】
前記制御パラメータは複数種類有り、前記補正値設定手段は、前記複数種類の制御パラメータ毎、前記プリセット用紙の種類毎、及び前記カスタム用紙の種類毎の少なくとも一つ毎に異なった前記補正値を設定させる、
請求項３または請求項４に記載の画像形成装置。
【請求項６】
請求項１から請求項５のいずれか１項に記載の画像形成装置における選択手段、変更量設定手段、記憶制御手段、及び画像形成制御手段としてコンピュータを機能させるための画像形成プログラム。
【発明の詳細な説明】
【技術分野】
【０００１】
本発明は、画像形成装置及び画像形成プログラムに関する。
【背景技術】
【０００２】
特許文献１には、画像形成装置において、予め登録されている用紙種別（プリセット紙種）の他に、ユーザが設定したカスタム紙種及び対応する紙質依存パラメータを紙種設定値として保持し、印刷時に保持した紙種設定値を用いて画像形成処理を制御する技術が記載されている。
【先行技術文献】
【特許文献】
【０００３】
【特許文献１】特開２００３−２７０８７２号公報
【発明の概要】
【発明が解決しようとする課題】
【０００４】
本発明は、カスタム紙の制御パラメータの設定を他の制御パラメータの設定を参照せずに行う場合と比較して、ユーザが所望の画質を得るための制御パラメータの設定を容易に行える画像形成装置及び画像形成プログラムを提供することを目的とする。
【課題を解決するための手段】
【０００５】
上記目的を達成するために、請求項１に記載の画像形成装置は、予め定められた複数種類のプリセット用紙に画像を形成する画像形成手段と、前記画像形成手段を制御する前記予め定められた複数種類毎に定められた制御パラメータの基準値を記憶する第１の記憶手段と、前記プリセット用紙の前記予め定められた複数種類の中からユーザが定めた種類のカスタム用紙に対応する前記プリセット用紙の種類をユーザインターフェイスを介してユーザに選択させる選択手段と、前記選択手段により選択された前記プリセット用紙の種類の前記基準値の変更量を前記ユーザインターフェイスを介してユーザに設定させる変更量設定手段と、前記カスタム用紙の種類と、前記選択手段で選択された前記プリセット用紙の種類と、前記変更量設定手段で設定された前記変更量と、の対応関係を第２の記憶手段に記憶させる記憶制御手段と、前記カスタム用紙に画像を形成するよう前記ユーザインターフェイスを介して指示されると、前記記憶制御手段により前記対応関係が記憶させられた前記第２の記憶手段から対応する前記プリセット用紙の種類及び前記変更量を取得し、取得した前記プリセット用紙の種類の前記第１の記憶手段に記憶されている前記基準値及び前記変更量に基づいて算出した前記制御パラメータにより前記画像形成手段を制御する画像形成制御手段と、を備える。
【０００６】
請求項２に記載の画像形成装置は、請求項１に記載の画像形成装置において、前記第１の記憶手段は、前記基準値を変更させるための１段階あたりの変更量を記憶し、前記変更量設定手段は、変更量の段階数を設定させ、前記記憶制御手段は、前記変更量として前記変更量設定手段で設定された前記段階数を記憶する。
【０００７】
請求項３に記載の画像形成装置は、請求項１または請求項２に記載の画像形成装置において、前記画像形成制御手段で算出した前記制御パラメータを補正する補正値を前記ユーザインターフェイスを介してユーザに設定させる補正値設定手段を備え、前記記憶制御手段は、前記補正値設定手段により設定された前記補正値と前記カスタム用紙の種類との対応関係を前記第２の記憶手段に記憶させ、前記画像形成制御手段は、算出した前記制御パラメータを前記第２の記憶手段に記憶された前記補正値に基づいて補正し、補正した前記制御パラメータにより前記画像形成手段を制御する。
【０００８】
請求項４に記載の画像形成装置は、請求項１から請求項３のいずれか１項に記載の画像形成装置において、前記制御パラメータは複数種類有り、前記画像形成制御手段は、前記複数種類の制御パラメータ毎、前記プリセット用紙の種類毎、及び前記カスタム用紙の種類毎の少なくとも一つ毎に異なった算出方法で前記制御パラメータを算出する。
【０００９】
請求項５に記載の画像形成装置は、請求項３または請求項４に記載の画像形成装置において、前記制御パラメータは複数種類有り、前記補正値設定手段は、前記複数種類の制御パラメータ毎、前記プリセット用紙の種類毎、及び前記カスタム用紙の種類毎の少なくとも一つ毎に異なった前記補正値を設定させる。
【００１０】
請求項６に記載の画像形成プログラムは、請求項１から請求項５のいずれか１項に記載の画像形成装置における選択手段、変更量設定手段、記憶制御手段、及び画像形成制御手段としてコンピュータを機能させるためのものである。
【発明の効果】
【００１１】
請求項１及び請求項６に記載の本発明によれば、カスタム紙の制御パラメータの設定を他の制御パラメータの設定を参照せずに行う場合と比較して、ユーザが所望の画質を得るための制御パラメータの設定を容易に行うことができる、という効果が得られる。
【００１２】
請求項２に記載の本発明によれば、変更量を数値で設定する場合と比較して、ユーザが制御パラメータの設定を容易に行うことができる、という効果が得られる。
【００１３】
請求項３に記載の本発明によれば、補正を行わない場合と比較して、制御パラメータの微調整が行える、という効果が得られる。
【００１４】
請求項４に記載の本発明によれば、同一の算出方法により制御パラメータを算出する場合と比較して、形成される画像が高画質になる、という効果が得られる。
【００１５】
請求項５に記載の本発明によれば、同一の補正値により補正を行う場合と比較して、形成される画像が高画質になる、という効果が得られる。
【図面の簡単な説明】
【００１６】
【図１】本発明の実施の形態に係る画像形成装置の概略構成の一例を示す概略構成図である。
【図２】本発明の実施の形態に係る画像形成装置の概略構成の一例を示す機能ブロック図である。
【図３】本発明の実施の形態に係る記憶部を不揮発性メモリとした場合におけるメモリ領域の構成の具体的一例を示す説明図である。
【図４】本発明の実施の形態に係る画像形成装置の制御部で実行されるカスタム用紙の登録処理の一例を示すフローチャートである。
【図５】本発明の実施の形態に係るメインメニュー画面の具体的例を示す説明図である。
【図６】本発明の実施の形態に係る登録／変更画面の具体的例を示す説明図である。
【図７】本発明の実施の形態に係るカスタム紙種一覧表示画面の具体的例を示す説明図である。
【図８】本発明の実施の形態に係るカスタム紙種設定画面においてプリセット紙種が選択された具体的例を示す説明図である。
【図９】本発明の実施の形態に係るプリセット紙種一覧画面の具体的例を示す説明図である。
【図１０】本発明の実施の形態に係るカスタム紙種設定画面において制御パラメータ（定着性）が選択された具体的例を示す説明図である。
【図１１】本発明の実施の形態に係る定着性設定画面の具体的例を示す説明図である。
【図１２】本発明の実施の形態に係るカスタム紙種２２に登録が完了したことを示すカスタム紙種一覧画面の具体的例を示す説明図である。
【図１３】本発明の実施の形態に係る画像形成装置の制御部で実行される制御パラメータ設定処理の一例を示すフローチャートである。
【図１４】本発明の実施の形態に係る定着性設定画面の具体的例を示す説明図である。
【図１５】本発明の実施の形態に係る画像形成装置の制御部で実行される補正値の設定を含めた制御パラメータ設定処理の一例を示すフローチャートである。
【図１６】本発明の実施の形態に係る補正値の設定を含めた定着性設定画面の具体的例を示す説明図である。
【図１７】本発明の実施の形態に係る補正値設定画面の具体的例を示す説明図である。
【図１８】本発明の実施の形態に係る定着性の設定をユーザに確認させるための定着性設定画面の具体的例を示す説明図である。
【図１９】本発明の実施の形態に係る画像形成装置の制御部で実行される画像形成制御処理の一例を示すフローチャートである。
【図２０】プリセット紙種毎の定着基準温度と１段階の変更温度の具体的例を説明するための説明図である。
【図２１】プリセット紙種毎の転写基準電圧と１段階の変更電圧の具体的例を説明するための説明図である。
【図２２】プリセット紙種毎の後処理基準枚数と１段階の変更枚数の具体的例を説明するための説明図である。
【発明を実施するための形態】
【００１７】
以下、図面を参照して本発明の実施の形態を詳細に説明する。なお、本実施の形態でプリセット紙とは画像形成装置に予め用紙の種類（プリセット紙種）が定められている用紙である。プリセット紙種名の具体的例としては、「薄紙」、「普通紙」、「厚紙１」、「厚紙２」、「コート紙」、及び「ＯＨＰ」等が挙げられる（後述の図９参照）。また、カスタム紙とは、用紙の種類（カスタム紙種）をユーザが定めて画像形成装置に登録した用紙である。本実施の形態ではカスタム紙種名の具体的例として、カスタム紙種が画像形成装置に登録された登録番号を用いている（後述の図７参照）。
【００１８】
本実施の形態の画像形成装置１０の一例を示す概略構成図を図１に示す。本実施の形態の画像形成装置１０は、用紙上に画像を形成する画像形成部２０及び収納した用紙を画像形成部２０に供給するための用紙収納部２２を備えて構成されている。
【００１９】
用紙収納部２２は、内部に収納する用紙を画像形成部２０に供給するためのものである。本実施の形態では、画像形成装置１２の内部に４つの用紙収納部２２１、２２２、２２３、２２４を備えている。本実施の形態では、用紙収納部２２は、トレイ（図示省略）上に用紙が積層されて収納されている。
【００２０】
トレイに積層されている用紙の最上面から取り出された用紙は、複数のローラ対４１により用紙搬送路４２を介して、画像形成部２０へ搬送される。
【００２１】
また、画像形成装置１０には手差しで用紙を搬入するための手差トレイ４４が設けられている。手差トレイ４４上に置かれた用紙は、画像形成装置１０内部の手差ローラ４３及びローラ対４１により用紙搬送路４２上に案内され、用紙搬送路４２を介して画像形成部２０へ搬送される。
【００２２】
画像形成部２０は、感光体２４、帯電器２６、光ビーム走査装置２８、現像器３０、中間転写体３２、転写器３４、除電・清掃器３６、転写器３８、及び定着器４０を含んで構成されている。
【００２３】
感光体２４は、予め定められた速度で矢印Ａ方向に回転する。感光体２４の周囲には周面を帯電させるための帯電器２６が設けられている。光ビーム走査装置２８は、帯電器２６により帯電された感光体２４の周面上に画像データに基づいて光ビームを照射し、静電潜像を形成する。現像器３０は、ローラ３０Ａを含み、感光体２４の周面上に形成された静電潜像にローラ３０Ａにより内部に貯留しているトナーを付着させて現像する。
【００２４】
中間転写体３２は、感光体２４の下部に設けられた無端状のベルトであり、複数のローラにより感光体２４の回転速度と同じ回転速度で矢印Ｂ方向に回転する。感光体２４と中間転写体３２とが接触する位置には転写器３４が配設されている。転写器３４の転写ローラ（図示省略）にトナーの帯電極性と同極性の転写電圧が印加されることによって、感光体２４の周面上のトナー像は中間転写体３２に転写される。除電・清掃器３６は、感光体２４の周面を除電する機能及び周面上に残留している残留トナーを除去する機能を備えたものである。
【００２５】
一方、用紙搬送路４２を介して搬送されてきた用紙は、中間転写体３２と転写器３８との間に送り込まれる。転写器３８の転写ローラ（図示省略）にトナーの帯電極性と同極性の転写電圧が印加されることによって、中間転写体３２上のトナー像が転写される。トナー像が転写された用紙は、定着器４０によりトナーを溶融定着された後に、排出ローラ対４５により画像形成装置１０の外部へ排出される。
【００２６】
画像形成装置１０には画像を形成された用紙が排出されるための排出トレイ４８が設けられている。画像が形成された後、後処理部により後処理が施された（詳細後述）用紙は、排出ローラ対４５及び排出ローラ４７により用紙搬送路４６を介して排出トレイ４８に排出される。
【００２７】
本実施の形態の画像形成装置１０は、画像形成における制御パラメータとして定着器４０の定着温度、転写器３４及び転写器３８の転写電圧、及び後処理部で後処理を行う制限枚数（詳細後述）の設定をユーザが行えるものであり、ユーザが設定を行わない場合は、デフォルト値として、記憶部に記憶されている基準値が設定された状態になっている。
【００２８】
本実施の形態の画像形成装置１０の一例を示す概略構成の機能ブロック図を図２に示す。
【００２９】
本実施の形態の画像形成装置１０は、後処理部４９、制御部５０、プリセット紙種選択部５２、変更量設定部５４、補正値設定部５６、ユーザインターフェイス部５８、記憶部６０、及び画像形成部２０を備えて構成されている。
【００３０】
後処理部４９は、ユーザインターフェイス部５８を介してユーザが指定した後処理を画像が形成された用紙に対して行うためのものである。後処理の具体的例としては、ステープル、パンチ、紙折り（２つ折り、３つ折り等）、のり付け、及びトリミング等が挙げられる。
【００３１】
制御部５０は、画像形成装置１０の制御を行うためのものであり、カスタム用紙の登録処理により登録された制御パラメータを用いて、画像形成制御処理により画像形成部２０の制御を行い、カスタム用紙に画像を形成させる。
【００３２】
本実施の形態の制御部５０は、一例として、ＲＯＭ及びＲＡＭを内蔵するＣＰＵ（図示省略）を含んでいる。ＣＰＵにより詳細を後述する制御処理としてカスタム用紙の登録処理及び画像形成制御処理等が実行される。カスタム用紙の登録処理及び画像形成制御処理の制御プログラム５１は、記録媒体としてのＲＯＭに記録されている。なお、当該制御プログラム５１は、ＣＤ−ＲＯＭ（図示省略）や、ＤＶＤ−ＲＯＭ（図示省略）等の記録媒体に記録しておき、インストールし、ＣＰＵにより読込まれて実行されるようにしてもよい。
【００３３】
プリセット紙種選択部５２は、ユーザが設定しようとしているカスタム紙種に対応するプリセット紙種をユーザインターフェイス部５８を介してユーザに選択させるためのものである。
【００３４】
変更量設定部５４は、ユーザが設定しようとしているカスタム紙種の制御パラメータを、対応するプリセット紙種の制御パラメータの基準値を変更することによりユーザインターフェイス部５８を介してユーザに設定させるためのものである。なお本実施の形態では、制御パラメータの種類毎に１段階当りの変更量が予め記憶部６０に記憶されており、変化させる段階数を変更量としてユーザに設定させる。
【００３５】
補正値設定部５６は、ユーザが設定した変更量に基づく制御パラメータをさらに補正するための補正値をユーザインターフェイス部５８を介してユーザに設定させるためのものである。
【００３６】
ユーザインターフェイス部５８は、カスタム紙種の設定に関する情報等をユーザと送受信するためのものであり、具体的例としては、タッチパネルや液晶ディスプレイ、キーボード、テンキー、マウス等が挙げられる。
【００３７】
記憶部６０には、予め複数種類のプリセット紙種毎の制御パラメータの基準値及び各１段階当りの変更量が記憶されている。また、プリセット紙種選択部５２により選択されたプリセット紙種をカスタム紙種に対応付けて記憶する。さらに、変更量設定部５４により設定された変更量及び補正値設定部５６により設定された補正値を記憶する。記憶部６０は不揮発性であり、具体的例としては、不揮発性のメモリ等が挙げられる。
【００３８】
本実施の形態において記憶部６０を不揮発性メモリとした場合におけるメモリ領域の構成の具体的一例を図３に示す。
【００３９】
記憶部６０のメモリ領域は、図３に示すように領域６２及び領域６４を含んで構成されている。領域６２には、ユーザの設定により各々のカスタム紙種に対応付けて、プリセット紙種及び制御パラメータである定着性の変更量、定着性の補正値、色再現性の変更量、色再現性の補正値、後処理制限枚数の変更量、及び後処理制限枚数の補正値が記憶される。
【００４０】
領域６４には、予め各々のプリセット紙種に対応付けて、定着基準温度及び１段階あたりの変更温度、転写基準電圧及び１段階あたりの変更電圧、後処理基準枚数及び１段階あたりの変更枚数が記憶されている。
【００４１】
次に、本実施の形態の画像形成装置１０で実行される制御処理について詳細に説明する。
【００４２】
（カスタム用紙登録処理）
まず、カスタム用紙の登録処理について詳細に説明する。図４は、本実施の形態のカスタム用紙の登録処理の一例を示すフローチャートである。なお本処理は、画像形成装置１０の使用機能をユーザに選択させるためにユーザインターフェイス部５８に表示されている図５に具体的例を示したメインメニューにおいて、登録／変更キー７０がユーザにより選択された場合に実行される。
【００４３】
ステップ１００では、登録／変更画面を表示するようにユーザインターフェイス部５８に指示する。当該指示によりユーザインターフェイス部５８には、図６に具体的例を示した登録／変更画面が表示される。
【００４４】
次のステップ１０２では、登録／変更画面においてカスタム紙種登録キー７２がユーザにより選択されたか否か判断する。その他の項目が選択された場合は否定されて、ステップ１０４へ進み、各項目に対応して予め定められているその他の処理を行った後に本処理を終了する。一方、カスタム紙種登録キー７２がユーザにより選択された場合は、肯定されてステップ１０６へ進む。
【００４５】
ステップ１０６では、カスタム紙種一覧画面を表示するようにユーザインターフェイス部５８に指示する。当該指示によりユーザインターフェイス部５８には、図７（Ａ）に具体的例を示したカスタム紙種一覧画面が表示される。
【００４６】
次のステップ１０８では、カスタム紙種一覧画面において設定／変更キー７６がユーザにより押し下げられたか否か判断する。ユーザは、カスタム紙種を登録したいカスタム紙種登録番号（Ｎｏ）を矢印キー７４で選択し、登録番号が決定すると設定／変更キー７６により当該登録番号にカスタム紙種の登録を行うよう指示する。図７（Ｂ）は、カスタム紙種登録番号２２がユーザにより選択された場合を示している。未だ設定／変更キー７６が押し下げられていない場合は否定されて待機状態になる。一方、押し下げられた場合は、肯定されてステップ１１０へ進む。
【００４７】
ステップ１１０では、カスタム紙種設定画面を表示するようにユーザインターフェイス部５８に指示する。当該指示によりユーザインターフェイス部５８には、図８に具体的例を示したカスタム紙種設定画面が表示される。
【００４８】
次のステップ１１２では、プリセット紙種の設定が選択されたか否か判断する。ユーザが矢印キー７４でプリセット紙種を選択し、設定／変更キー７６を押し下げた場合は肯定され、ステップ１１４へ進む。
【００４９】
ステップ１１４では、プリセット紙種一覧画面を表示するようにプリセット紙種選択部５２によりユーザインターフェイス部５８に指示する。当該指示によりユーザインターフェイス部５８には、図９に具体的例を示したプリセット紙種一覧画面が表示される。
【００５０】
次のステップ１１６では、登録するカスタム紙種に対応するプリセット紙種が選択されたか否か判断する。ユーザは、矢印キー７４により対応するプリセット紙種を選択すると設定／変更キー７６を押し下げる。なお、図９は、「厚紙２」が選択された状態を示している。設定／変更キー７６が未だ押し下げられていない場合は否定されて待機状態になり、押し下げられた場合は、肯定されてステップ１１８へ進み、プリセット紙種選択部５２により選択されたプリセット紙種を取得した後、ステップ１２２へ進む。
【００５１】
一方、ステップ１１２でプリセット紙種以外の設定が選択された場合はステップ１２０へ進む。ここでプリセット紙種以外の設定とは、制御パラメータの設定であり、本実施の形態では、定着性、色再現性、及び後処理制限枚数のいずれかの設定を行う場合をさす。なお図１０は、定着性が選択された場合を示している。
【００５２】
次のステップ１２０では、詳細を後述する制御パラメータ設定処理により制御パラメータを設定した後、ステップ１２２へ進む。
【００５３】
ステップ１２２では、カスタム紙種設定画面を表示するようにユーザインターフェイス部５８に指示する。当該指示によりユーザインターフェイス部５８には、選択されたプリセット紙種及び設定された制御パラメータが示されたカスタム紙種設定画面が表示される。なお、図１１には具体例として、プリセット紙種が選択され、定着性がやや高くする（＋２）に設定された場合を示している。
【００５４】
次のステップ１２４では、登録キー７８が押し下げられたか否か判断する。押し下げられない場合（設定／変更キー７６が押し下げられた場合）は、ステップ１１２に戻り、プリセット紙種の登録処理または、制御パラメータの設定処理を繰り返す。一方、登録キー７８が押し下げられた場合はステップ１２６へ進む。
【００５５】
ステップ１２６では、指示されたプリセット紙種及び制御パラメータの設定値を記憶部６０の領域６２に記憶させる。本実施の形態では、ステップ１２２で表示を指示したカスタム紙種設定画面（図１１）に表示させた設定を記憶部６０の領域６２に記憶させる。
【００５６】
次のステップ１２８では、ユーザが指定したカスタム紙種登録番号に登録が完了したことを示すために、カスタム紙種一覧画面を表示するようユーザインターフェイス部５８に指示した後、本処理を終了する。当該指示によりユーザインターフェイス部５８には、図１２に具体的例を示したカスタム紙種一覧画面が表示される。図１２では、カスタム紙種登録番号２２に「カスタム紙種２２」の登録が完了したことを示している。当該カスタム紙種一覧画面の表示によりユーザは、カスタム紙種の登録が完了したことを認識する。
【００５７】
（制御パラメータ設定処理）
次に、本実施の形態の制御パラメータ設定処理（図４、ステップ１２０）について詳細に説明する。本実施の形態の画像形成装置１０では、画像形成部２０により画像を形成する際に用いられる制御パラメータ及び当該制御パラメータの微調整を行うための補正値の設定を行う。なお、本実施の形態では、指示が無い場合はユーザによる補正値の設定を行わず、別途、例えば、サービスエンジニア等によるメンテナンス等の際に微調整のために補正値の設定を行うように指示された場合に、補正値の設定を含めた制御パラメータ設定処理を行う。
【００５８】
まず、制御パラメータの変更量の設定を行う場合について説明する。図１３は、本実施の形態の制御パラメータ設定処理の一例のフローチャートである。
【００５９】
ステップ２００では、設定項目が何であるか判断する。定着性である場合はステップ２０２へ進み、変更量設定部５４により定着性設定画面を表示するようにユーザインターフェイス部５８に指示する。当該指示によりユーザインターフェイス部５８には、図１４に具体的例を示した定着性設定画面が表示される。本実施の形態では具体的例として、標準を０として「低くする」（マイナス）から「高くする」（プラス）まで±３段階の設定が行える。ユーザは、設定したい段階を示す位置に矢印カーソル８２を矢印キー８０により動かすことにより指示し、設定／変更キー７６を押し下げることにより定着性の制御パラメータを設定する。
【００６０】
次のステップ２０４では、定着性設定画面において設定／変更キー７６がユーザにより押し下げられたか否か判断する。未だ押し下げられていない場合は、否定されて待機状態になり、押し下げられた場合は、肯定されてステップ２０６へ進む。
【００６１】
ステップ２０６では、設定された設定値（図１４では、＋２）を取得した後、本処理を終了する。
【００６２】
一方、ステップ２００で設定項目が色再現性と判断された場合は、ステップ２０８へ進む。ステップ２０８では、変更量設定部５４により色再現性設定画面（図示省略）を表示するようにユーザインターフェイス部５８に指示する。当該指示によりユーザインターフェイス部５８には、定着性設定画面と同様にして設定を行うための色再現性設定画面が表示される。本実施の形態では具体的例として、標準を０として「弱くする（または淡くする）」（マイナス）から「強くする（または濃くする）」（プラス）まで±３段階の設定が行える。ユーザは、図１４に示した定着性設定画面と同様に、設定したい段階を示す位置に矢印カーソル８２を矢印キー８０により動かすことにより指示し、設定／変更キー７６を押し下げることにより色再現性の制御パラメータを設定する。
【００６３】
次のステップ２１０では、色再現性設定画面において設定／変更キー７６がユーザにより押し下げられたか否か判断する。未だ押し下げられていない場合は、否定されて待機状態になり、押し下げられた場合は、肯定されてステップ２１２へ進む。ステップ２１２では、設定された設定値を取得した後、本処理を終了する。
【００６４】
一方、ステップ２００で設定項目が後処理制限枚数と判断された場合は、ステップ２１４へ進む。ステップ２１４では、変更量設定部５４により後処理制限枚数設定画面（図示省略）を表示するようにユーザインターフェイス部５８に指示する。当該指示によりユーザインターフェイス部５８には、定着性設定画面と同様にして設定を行うための後処理制限枚数設定画面が表示される。本実施の形態では具体的例として、標準を０として「少なくする」（マイナス）から「多くする」（プラス）まで±３段階の設定が行える。ユーザは、図１４に示した定着性設定画面と同様に、設定したい段階を示す位置に矢印カーソル８２を矢印キー８０により動かすことにより指示し、設定／変更キー７６を押し下げることにより後処理制限枚数の制御パラメータを設定する。
【００６５】
次のステップ２１６では、後処理制限枚数設定画面において設定／変更キー７６がユーザにより押し下げられたか否か判断する。未だ押し下げられていない場合は、否定されて待機状態になり、押し下げられた場合は、肯定されてステップ２１２へ進む。ステップ２１８では、設定された設定値を取得した後、本処理を終了する。
【００６６】
次に、制御パラメータ及び補正値の設定を行う場合について説明する。図１５は、本実施の形態の補正値の設定を含む制御パラメータ設定処理の一例のフローチャートである。
【００６７】
ステップ３００では、設定項目が何であるか判断する。定着性である場合はステップ３０２へ進み、変更量設定部５４により定着性設定画面を表示するようにユーザインターフェイス部５８に指示する。当該指示によりユーザインターフェイス部５８には、図１６に具体的例を示した定着性設定画面が表示される。図１６は、図１４に具体的例として示した定着性設定画面に補正値を設定するための表示（補正値設定キー８４）が成されたものである。
【００６８】
次のステップ３０４では、定着性設定画面において設定／変更キー７６がユーザにより押し下げられたか否か判断する。未だ押し下げられていない場合は、否定されてステップ３０６へ進む。
【００６９】
ステップ３０６では、補正値の設定を行うか否か判断する。定着性設定画面（図１６）において、補正値設定キー８４が押し下げられていない場合は、否定されてステップ３０４に戻る。一方、押し下げられた場合は、肯定されてステップ３０８へ進む。
【００７０】
ステップ３０８では、補正値設定部５６により補正値設定画面を表示するようにユーザインターフェイス部５８に指示する。当該指示によりユーザインターフェイス部５８には、図１７に具体的例を示した補正値設定画面が表示される。本実施の形態では具体的例として、標準を１００％として「５０％」から「１５０％」の範囲で設定が行える。ユーザは、設定したい値を図示を省略したテンキー等により指示し、設定／変更キー７６を押し下げることにより補正値を設定する。
【００７１】
次のステップ３１０では、補正値設定画面において設定／変更キー７６がユーザにより押し下げられたか否か判断する。未だ押し下げられていない場合は、否定されて待機状態になり、押し下げられた場合は、肯定されてステップ３１２へ進む。
【００７２】
ステップ３１２では、設定された補正値を取得した後、ステップ３１４へ進む。ステップ３１４では、設定された変更量及び補正値を示すために、図１８に具体的例を示した定着性設定画面を表示させた後、ステップ３０４に戻る。図１８では、変更量が「＋２」、補正値が「１１０％」に設定されたことを示している。当該定着性設定画面の表示によりユーザは、定着性の設定を確認する。
【００７３】
一方、ステップ３０４において、定着性の変更量の設定及び補正値の設定が完了した場合は、肯定されてステップ３１６へ進む。
【００７４】
ステップ３１６では、設定された設定値（図１８では、変更量＝＋２、補正値＝１．１）を取得した後、本処理を終了する。
【００７５】
なお、ステップ３００で設定項目が色再現性と判断された場合は、ステップ３１８へ進み、上述のステップ３０２から３１６の処理と同様にして、色再現性の変更量及び補正値を取得した後、本処理を終了する。また、ステップ３００で設定項目が後処理制限枚数と判断された場合は、上述のステップ３０２から３１６の処理と同様にして、後処理制限枚数の変更量及び補正値を取得した後、本処理を終了する。
【００７６】
（画像形成制御処理）
次に、上述のカスタム用紙登録処理（図４）において設定された制御パラメータを用いて画像形成に関する処理を行う画像形成制御処理について詳細に説明する。
【００７７】
図１９は、本実施の形態の画像形成制御処理の一例のフローチャートである。なお本処理は、ユーザインターフェイス部５８に表示されている図５に具体的例を示したメインメニューにおいて、コピーキー７１がユーザにより選択された場合に実行される。
【００７８】
ステップ４００では、ユーザがユーザインターフェイス部５８により画像を形成するように指示した用紙の種類を取得し、次のステップ４０２では、取得した用紙の種類がカスタム紙種か否か判断する。プリセット紙種である場合は、否定されてステップ４０４へ進む。
【００７９】
ステップ４０４では、取得したプリセット紙種に対応する定着基準温度を記憶部６０の領域６４から取得する。次のステップ４０６では、取得したプリセット紙種に対応する転写基準電圧を記憶部６０の領域６４から取得する。次のステップ４０８では、取得したプリセット紙種に対応する後処理基準枚数を記憶部６０の領域６４から取得した後、ステップ４３０へ進む。
【００８０】
一方、ステップ４００において取得した用紙の種類がカスタム紙種である場合はステップ４０２で肯定されてステップ４１０へ進む。
【００８１】
ステップ４１０では、取得したカスタム紙種に対応するプリセット紙種を記憶部６０の領域６２から取得する。
【００８２】
次のステップ４１２では、取得したプリセット紙種に対応する定着基準温度及び１段階あたりの変更温度を記憶部６０の領域６４から取得し、次のステップ４１４では、取得したカスタム紙種に対応する定着性変更量及び定着性補正値を記憶部６０の領域６２から取得する。
【００８３】
次のステップ４１６では、定着温度を算出する。本実施の形態では、定着温度の算出方法は、具体的一例である下記の式（１）の算式により算出する。
【００８４】
定着温度＝プリセット紙種の定着基準温度＋変更量×１段階あたりの変更温度×補正値  ・・・式（１）
プリセット紙種毎の定着基準温度と１段階あたりの変更温度の具体的例を図２０に示す。なお本実施の形態では、図２０に示した具体的例が記憶部６０の領域６４に記憶されている。
【００８５】
上記カスタム用紙登録処理において具体的例として説明した、プリセット紙種＝厚紙２、変更量＝＋２、及び補正値１１０％に設定された（図１１、１８参照）カスタム紙種２２に画像を形成するように指示された場合は、式（１）により下記のように算出される。
【００８６】
定着温度＝２００（℃）＋２（段階）×８（℃）×１．１＝２１７．６（℃）  ・・・式（２）
次のステップ４１８では、取得したプリセット紙種に対応する転写基準電圧及び１段階あたりの変更電圧を記憶部６０の領域６４から取得し、次のステップ４２０では、取得したカスタム紙種に対応する色再現性変更量及び色再現性補正値を記憶部６０の領域６２から取得する。本実施の形態では、色再現性は転写器３４及び転写器３８の転写電圧に依存するため、弱く（または淡く）する場合は転写電圧を小さく、強く（または濃く）する場合は転写電圧を大きくする。
【００８７】
次のステップ４２２では、転写電圧を算出する。本実施の形態では、転写電圧の算出方法は、具体的一例である下記の式（３）の算式により算出する。
【００８８】
転写電圧＝プリセット紙種の転写基準電圧＋変更量×１段階あたりの変更電圧×補正値  ・・・式（３）
プリセット紙種毎の転写基準電圧と１段階あたりの変更電圧の具体的例を図２１に示す。なお本実施の形態では、図２１に示した具体的例が記憶部６０の領域６４に記憶されている。
【００８９】
次のステップ４２４では、取得したプリセット紙種に対応する後処理基準枚数及び１段階あたりの変更枚数を記憶部６０の領域６４から取得し、次のステップ４２６では、取得したカスタム紙種に対応する後処理枚数変更量及び後処理枚数補正値を記憶部６０の領域６２から取得する。
【００９０】
次のステップ４２８では、後処理制限枚数を算出する。本実施の形態では、後処理制限枚数の算出方法は、具体的一例である下記の式（４）の算式により算出する。
【００９１】
後処理制限枚数＝プリセット紙種の後処理基準枚数＋変更量×１段階あたりの変更枚数×補正値  ・・・式（４）
プリセット紙種毎の後処理基準枚数と１段階あたりの変更枚数の具体的例を図２２に示す。なお本実施の形態では、図２２に示した具体的例が記憶部６０の領域６４に記憶されている。
【００９２】
次のステップ４３では、画像を形成するよう指示する。指示された用紙がプリセット紙種である場合はステップ４０４から４０８の処理により取得した基準値の制御パラメータにより画像形成部２０及び後処理部４９の制御を行い、プリセット紙種に画像を形成させるよう指示した後、本処理を終了する。
【００９３】
一方、指示された用紙がカスタム紙種である場合はステップ４１０から４２８の処理により取得した算出された制御パラメータにより画像形成部２０及び後処理部４９の制御を行い、カスタム紙種に画像を形成させるよう指示した後、本処理を終了する。
【００９４】
なお本実施の形態では、制御パラメータとして定着性（定着器４０の定着温度）、色再現性（転写器３４、３８の転写電圧）及び後処理制限枚数（後処理部４９の後処理制限枚数）の設定を行う場合について詳細に説明したがこれに限らず、その他の、例えば、光沢性等の用紙の紙種に依存する画像形成制御パラメータの設定を行うものであってもよい。また、後処理制限枚数は、後処理毎（例えば、ホチキス、パンチ等）に制限枚数の設定を行うようにしてもよい。
【００９５】
また、本実施の形態の画像形成装置１０は、中間転写体３２を用いて画像を形成するものであるがこれに限らず、中間転写体３２を用いずに直接用紙に画像を転写するものであってもよい。また、後処理装置を別途設け、後処理部４０の制御により後処理装置で後処理を行うようにしてもよい。
【００９６】
また、定着温度の算出方法（式（１））、転写電圧の算出方法（式（３））、及び後処理制限枚数の算出方法（式（４））は、それぞれ異なった方法により算出してもよい。また、プリセット紙種毎またはカスタム紙種毎により異なった算出方法（算出式）を用いてもよい。このようにすることにより、より用紙の紙種に合わせ、ユーザの所望の画像が形成されるようになる。
【００９７】
また、本実施の形態では、カスタム紙種毎に補正値を設定する場合について詳細に説明したがこれに限らず、カスタム紙種に対応するプリセット紙種毎に設定するようにしてもよい。
【００９８】
また、本実施の形態では、制御パラメータの変更量及び補正値を記憶部６０の領域６２に記憶するように制御しているがこれに限らず、変更量や補正値が設定された際に、変更量を用いて制御パラメータを算出し、または、変更量及び補正値を用いて制御パラメータを算出し、算出した制御パラメータを記憶部６０に記憶させるよう制御してもよい。
【００９９】
以上説明したように本実施の形態では、ユーザがカスタム紙種を登録する場合、ユーザインターフェイス部５８を介してプリセット紙種選択部５２により対応するプリセット紙種をユーザに選択させる。選択されたプリセット紙種の基準値の変更量をユーザインターフェイス部５８を介して変更量設定部５４によりユーザに設定させることにより当該カスタム紙種の制御パラメータ（定着性、色再現性、及び後処理制限枚数）を設定し、設定値を記憶部６０の領域６２に記憶する。また、本実施の形態では、ユーザインターフェイス部５８を介して補正値設定部５６によりユーザに制御パラメータを微調整するための補正値を設定させる。カスタム用紙に画像を形成する場合は、制御部５０は、記憶部６０の領域６４に記憶されているカスタム用紙の種類に対応するプリセット紙種の制御パラメータの基準値及び１段階あたりの変更量と、領域６２に記憶されている変更量及び補正値を取得し、定着温度、転写電圧、及び後処理制限枚数を算出し、算出した制御パラメータにより画像形成部２０及び後処理部４９を制御して画像を形成させる。
【０１００】
このようにユーザは、対応するプリセット紙種の制御パラメータの設定を基準とし、そこからの変更量を設定することによりカスタム紙種の制御パラメータの設定を行うため、所望の画質を得るための設定が行いやすくなる。また、誤った設定を行うことが防止されるため、設定をやり直すことが軽減される。
【０１０１】
また補正値を設定するようにすることにより、変更量の段階数を多くすることなく、最大値／最小値の変更範囲をユーザによって個別に微調整させられる。これにより、変更量の段階数を多いためにユーザが設定に迷うことが防止される。
【符号の説明】
【０１０２】
１０  画像形成装置
２０  画像形成部
３４  転写器
３８  転写器
４０  定着器
４９  後処理部
５０  制御部
５１  制御プログラム
５２  プリセット紙種選択部
５４  変更量設定部
５６  補正値設定部
５８  ユーザインターフェイス部
【図１】
2010217451.tif 000003
【図２】
2010217451.tif 000004
【図３】
2010217451.tif 000005
【図４】
2010217451.tif 000006
【図１３】
2010217451.tif 000007
【図１４】
2010217451.tif 000008
【図１５】
2010217451.tif 000009
【図１９】
2010217451.tif 000010
【図２０】
2010217451.tif 000011
【図２１】
2010217451.tif 000012
【図２２】
2010217451.tif 000013
【図５】
2010217451.tif 000014
【図６】
2010217451.tif 000015
【図７】
2010217451.tif 000016
【図８】
2010217451.tif 000017
【図９】
2010217451.tif 000018
【図１０】
2010217451.tif 000019
【図１１】
2010217451.tif 000020
【図１２】
2010217451.tif 000021
【図１６】
2010217451.tif 000022
【図１７】
2010217451.tif 000023
【図１８】
2010217451.tif 000024